(57)【特許請求の範囲】
【請求項１】
台座の上面に支持半環が固定され、前記支持半環に子午環が回転可能に軸止される遊球儀用２軸支持具であり、前記子午環は、円環状とされ、半環状の上子午環と下子午環とに２分割され、連結部材により連結可能であり、前記支持半環は、前記子午環よりも曲率半径が僅かに大きくまた半円よりも僅かに弧長が長いものとしその両端に軸止穴が設けられ、前記上子午環と前記下子午環は、半円よりも弧長の短い半環状とされ、前記上子午環と前記下子午環との隙間を埋めるように軸止ビスを挿入することで円環状の子午環を形成し、前記軸止ビスの突出部が前記支持半環の軸止穴に嵌めこまれることを特徴とする、遊球儀用２軸支持具。
【請求項２】
前記連結部材は、２枚の板体が、前記子午環の厚みに略等しい距離を置いて並行に配置され、前記板体の長軸方向に間隔を開けて設けられる４つの嵌合軸により結合されるものであり、前記上子午環と下子午環は、その各端部に２個ずつの嵌合溝を有し、前記嵌合軸と嵌合することで連結して前記子午環を構成することを特徴とする、請求項１記載の遊球儀用２軸支持具。
【請求項３】
前記子午環と支持半環、前記台座とが分離可能であることを特徴とする、請求項１又は２記載の遊球儀用２軸支持具。
【請求項４】
台座の上面に支持半環が固定され、前記支持半環に子午環が回転可能に軸止され、
前記支持半環は、前記子午環よりも曲率半径が僅かに大きくまた半円よりも僅かに弧長が長いものとし、
前記子午環は、円環状とされ、半環状の上子午環と下子午環とに２分割され、連結部材により連結可能である遊球儀用２軸支持具に、
分解可能または組立分解可能な球体が回転可能に設置され、
前記遊球儀用２軸支持具は、
前記支持半環の両端に軸止穴が設けられ、
前記上子午環と前記下子午環は、半円よりも弧長の短い半環状とされ、前記上子午環と前記下子午環との隙間を埋めるように軸止ビスを挿入することで円環状の子午環を形成し、前記軸止ビスの突出部が前記支持半環の軸止穴に嵌めこまれ、
前記連結部材は、２枚の板体が、前記子午環の厚みに略等しい距離を置いて並行に配置され、前記板体の長軸方向に間隔を開けて設けられる４つの嵌合軸により結合されるものであり、前記上子午環と下子午環は、その各端部に２個ずつの嵌合溝を有し、前記嵌合軸と嵌合することで連結して子午環を構成し、
前記子午環と支持半環、前記台座とが分離可能であることを特徴とする、遊球儀。
【発明の詳細な説明】
【技術分野】
【０００１】
本発明は、遊球儀に関し、特に、分解可能または組立分解可能な２軸支持具及び分割可能な２軸支持具を備えた遊球儀に関するものである。
【背景技術】
【０００２】
今日、地球儀や天球儀などの遊球儀には、回転可能に軸止される子午環を有する２軸支持具が多用されている。
この２軸支持具は、台座に固定される支持半環に子午環が回転可能に軸止され、この子午環に遊球儀本体が回転可能に軸止されるという２軸支持構造となっており、例えば特許文献１に記載のものがある。
【０００３】
また、今日では、球体を分解組立可能とした遊球儀が用いられており、例えば特許文献２に記載のものがある。このような分解可能または組立分解可能な遊球儀の支持具としては、半環状の半子午環を有するコンパクトに収納可能な一軸支持具が多く用いられている。
【特許文献１】特開平４−２８１４９２
【特許文献２】特開２００５−３７８５４
【発明の開示】
【発明が解決しようとする課題】
【０００４】
従来では、分解可能または組立分解可能な２軸支持具が無く、遊球儀を分解可能または組立分解可能としてコンパクトに収納可能であるも、２軸支持具がかさ張り、地球儀全体としてはコンパクトに収納することができなかった。
そこで本発明は、分解組立可能な２軸支持具及び分解可能または組立分解可能な子午環を備えた遊球儀を提供する。
【課題を解決するための手段】
【０００５】
請求項１記載の発明は、台座の上面に支持半環が固定され、前記支持半環に子午環が回転可能に軸止される遊球儀用２軸支持具であり、前記子午環は分割可能とすることを特徴とする。
【０００６】
更に請求項１記載の発明は、前記子午環は、円環状とされ、半環状の上子午環と下子午環とに２分割され、連結部材により連結可能であることを特徴とする。
【０００７】
そして、この請求項１記載の発明は、前記支持半環は、前記子午環よりも曲率半径が僅かに大きくまた半円よりも僅かに弧長が長いものとしその両端に軸止穴が設けられ、前記上子午環と前記下子午環は、半円よりも僅かに弧長が短い半環状とされ、前記上子午環と前記下子午環との隙間を埋めるように軸止ビスを挿入することで円環状の子午環を形成し、前記軸止ビスの突出部が前記支持半環の軸止穴に嵌めこまれることを特徴とする。
【０００８】
請求項２記載の発明は、前記連結部材は、２枚の板体が、子午環の厚みに略等しい距離を置いて並行に配置され、前記板体の長軸方向に間隔を開けて設けられる４つの嵌合軸により結合されるものであり、上子午環と下子午環は、その各端部に２個ずつの嵌合溝を有し、前記嵌合軸と嵌合することで連結して子午環を構成することを特徴とする。
【０００９】
請求項３記載の発明は、前記子午環と支持半環、前記台座とが分離可能であることを特徴とする。
【００１０】
請求項４記載の発明は、台座の上面に支持半環が固定され、前記支持半環に子午環が回転可能に軸止され、前記支持半環は、前記子午環よりも曲率半径が僅かに大きくまた半円よりも僅かに弧長が長いものとし、前記子午環は、円環状とされ、半環状の上子午環と下子午環とに２分割され、連結部材により連結可能である遊球儀用２軸支持具に、分解可能または組立分解可能な球体が回転可能に設置されることを特徴とする。
【００１１】
更にこの請求項４記載の発明は、前記支持半環は、その両端に軸止穴が設けられ、前記上子午環と前記下子午環は、半円よりも僅かに弧長が短い半環状とされ、前記上子午環と前記下子午環との隙間を埋めるように軸止ビスを挿入することで円環状の子午環を形成し、前記軸止ビスの突出部が前記支持半環の軸止穴に嵌めこまれ、前記連結部材は、２枚の板体が、子午環の厚みに略等しい距離を置いて並行に配置され、前記板体の長軸方向に間隔を開けて設けられる４つの嵌合軸により結合されるものであり、上子午環と下子午環は、その各端部に２個ずつの嵌合溝を有し、前記嵌合軸と嵌合することで連結して子午環を構成し、前記子午環と支持半環、前記台座とが分離可能であることを特徴とする。
【発明の効果】
【００１２】
請求項１記載の発明によれば、軸止ビスにより、支持半環と子午環とを結合し、さらに、上子午環と下子午環とを結合することができ、効率よく組立てることのできる分解可能または組立分解可能な遊球儀用２軸支持具であって、コンパクトに収納可能な遊球儀用２軸支持具を提供することができる。
【００１３】
請求項２記載の発明によれば、合計４本の嵌合軸により上子午環と下子午環とを連結することで、しっかりと連結することができるため、遊球儀をしっかり設置することができる。
【００１４】
請求項３記載の発明によれば、より一層コンパクトに収納可能な遊球儀用２軸支持具を提供することができる。
【００１５】
請求項４記載の発明によれば、コンパクトに収納して販売可能な遊球儀を提供することができる。
【発明を実施するための最良の形態】
【００１６】
台座の上面に支持半環が固定され前記支持半環に子午環が回転可能に軸止される遊球儀用２軸支持具であり、前記子午環は円環状とされて、半環状の上子午環と下子午環とに２分割され、前記上子午環と前記下子午環は半円よりも僅かに弧長が短いものとされ、連結部材は２枚の板体が子午環の厚みに略等しい距離を置いて並行に配置されて前記板体の長軸方向に間隔を開けて設けられる４つの嵌合軸により結合されるものであり、前記上子午環と下子午環はその各端部に２個ずつの嵌合溝を有して前記嵌合軸と嵌合することで連結部材により連結され、さらに上下子午環の隙間に軸止ビスを挿入して円環状の子午環を形成し、前記支持半環は前記子午環よりも曲率半径が僅かに大きくまた半円よりも僅かに弧長が長いものとしその両端に軸止穴が設けられ、前記子午環と支持半環及び前記台座が分離可能とされる遊球儀用２軸支持具とし、組立可能な球体を２軸回転可能に備えた遊球儀とするものである。
【実施例１】
【００１７】
本発明に係る遊球儀用支持具100は、図１に示すように、台座160の上面に支持半環150が固定され、この支持半環150に子午環110が回転可能に軸止されるものである。
【００１８】
この子午環110は、図２に示すように、半環状の上子午環113と下子午環115とに２分割され、連結部材130と軸止ビス140により上子午環113と下子午環115とが連結されて環状体を構成するものである。
【００１９】
上子午環113と下子午環115は、その弦長が半円よりも僅かに短く、軸止ビス140の軸止突起部を端部で挟むことで、円環を形成することができる。
上子午環113の両端部には、円環の外方に開口する鍵状の嵌合溝121が設けられている。
【００２０】
この連結部材130は、図３に示すように、その幅は子午環110と同じとされ、円環の一部を切り取った形状の２枚の板体を子午環の厚みと略等しい距離を置いて並行に配置し、この板体の各端部に２つずつ設けた嵌合軸133により２枚の板体を結合して一体としたものである。
この２枚の板体の対抗する面には、その真中に軸受溝135が設けられ、軸止ビス140の軸止突起部145を挿入して固定できる。
【００２１】
また、軸止ビス140は、円柱状のスペーサー部143と、スペーサー部143よりも径の小さい円柱状の軸止突起部145と回転軸止突起部147とがスペーサー部143の両端面から突出して形成されることで構成される。
【００２２】
この子午環を組立てるには以下の手順にて行う。
上子午環113と下子午環115の鍵状の嵌合溝121を連結部材130の嵌合軸133に差し込んでから、嵌合溝121の鍵状L字の溝に嵌合軸133が嵌るように、上子午環は上方向、下子午環は下方向に引っ張る。そうすると、上子午環113と下子午環115との端部同士の間に多少の隙間が生じるため、この隙間に軸止ビス140の軸止突起部145を連結部材130の軸受溝135に沿って挿入して前記隙間を埋めることができる。
これにより、上子午環113と下子午環115とが一体となるように固定することができ、円環状の子午環110を組立てることができる。
【００２３】
支持半環150は、図２に示したように、子午環110よりも曲率半径が僅かに大きく、半円よりも僅かにその弧長が大きいものであり、その両端には軸止孔153が穿設され、その真中には内部に雌ネジを形成する固定突起155が下方に向かって突設される。
また、台座160は円盤状の板体を複数枚重ねた基台とこの基台の上面の中心に立てられる支柱からなり、この支柱の上面の中心に支持孔165を穿設し、また、支持半環150と略等しい幅の支持溝163を設け、一方で下面の中心には固定ネジ157を挿入する為の挿入孔が支持孔165に連結するように穿設されているものである。
【００２４】
従って、支持半環150をこの支持溝163にはめ込んで固定突起155を支持孔165に挿入し、そして台座の下面の挿入孔に下方から固定ネジ157を挿入して、この固定ネジ157のネジ部分を支持半環150の固定突起155に螺入して固定することができる。
このように支持溝163が支持半環150を挟み込むようにして保持し、さらに固定ネジ157により支持半環150が台座160にネジ止めされることで、支持半環150を台座160にしっかりと固定することができる。
【００２５】
また、遊球儀の球体は、地球の模様などを表面に印刷した球体であり、球体ジグソーパズルのように複数のピース片によってその球体を組立可能とするものである。そして組立てられた球体は、図４に示すように、一組の球体軸止穴が形成されており、球体の中心に対して対称と成るように配設形成される。
そして、この組立てた球体の一方の球体軸止穴を子午環110の球体軸止突起部119に嵌め込み、そして、他方の球体軸止穴と球体支持部の位置を合わせて、球体支持部に軸止ネジ170をねじ込むことで軸止ネジ170の軸止部が遊球儀の球体軸止穴に嵌め込まれる。
これにより、遊球儀が子午環110に回転可能に軸止され、２軸支持具に遊球儀を設置することができる。
【００２６】
このように、組立可能又は組立分解可能な球体のピース等をコンパクトに収納して販売できることと同様に、このように２軸支持具を組立および分解可能とすることで、２軸支持具もコンパクトに収納して販売することができる。したがって、分解可能または組立分解可能な球体と２軸支持具からなる分解可能または組立分解可能な遊球儀をコンパクトにパッケージして販売することができる。
【００２７】
なお、本発明は、以上の実施例の形態に限定されるものでなく、発明の要旨を逸脱しない範囲で自由に変更、改良が可能である。
【図面の簡単な説明】
【００２８】
【図１】本発明に係る遊球儀用２軸支持具の外観を示す斜視図である。
【図２】本発明に係る遊球儀用２軸支持具の構造を示す分解斜視図である。
【図３】本発明に係る遊球儀用２軸支持具の子午環の構造を示すブロック図
【図４】本発明に係る遊球儀用２軸支持具の使用状態を示す図。
【符号の説明】
【００２９】
100    遊球儀用支持具
110    子午環
113    上子午環
115    下子午環
117    球体支持受
119    球体軸止突起部
121    嵌合溝
130    連結部材
133    嵌合軸
135    軸受溝
140    軸止ビス
143    スペーサー部
145    軸止突起部
147    回転軸止突起部
150    支持半環
153    軸止孔
155    固定突起
157    固定ネジ
160    台座
163    支持溝
165    支持孔
170    軸止ネジ
【図１】
0004723935.tif 000002
【図２】
0004723935.tif 000003
【図３】
0004723935.tif 000004
【図４】
0004723935.tif 000005